(57)【要約】【課題】冷温空気を送る送風路内に結露水が生じても、前記冷温空気を室内へ放出する放出孔から結露水が室内に落下しない輻射式空調を提供することを目的とする。【解決手段】上壁面１１と、輻射パネル２１（２）と、上壁面１１と輻射パネル２１との間を連結する側壁面１２と、温度調整された空気Ａｉｒ−Ａを通すためのダクト構造４と、室内の空気Ａｉｒ−Ｂをダクト構造４内に誘引する誘引管４２と、を有し、上壁面１１と側壁面１２と輻射パネル２１とによって形成された、送風路Ｄにダクト構造４の一端が接続する構成にして、側壁面１２には送風路Ｄに導入された空気Ａｉｒ−Ａを外へ放出する放出孔１２１が設けられ、誘引管４２の一端は前記室内に向けて開口し、他の一端はダクト構造４内部において空気Ａｉｒ−Ａの流れる下流側に開口している輻射式空調装置１【選択図】図１
2018185091.tif 000002
【特許請求の範囲】
【請求項１】
断熱性を有する上面板若しくは断熱性を有する天井部材で構成された上壁面と、金属板で形成され底面を構成する輻射パネルと、前記上壁面と前記輻射パネルとの間を連結する側壁面と、前記輻射パネルを冷却若しくは加熱するための温度調整された温調空気を通すためのダクト構造と、温度調整対象たる室内の空気を前記ダクト構造内に誘引する誘引管と、を有し、前記上壁面と前記側壁面と前記輻射パネルとによって形成された、前記温調空気を送風するための送風路に前記ダクト構造の一端が接続する構成にして、前記側壁面には、前記ダクト構造を通じて前記送風路に導入された前記温調空気を前記送風路の外へ放出する放出孔が設けられ、前記誘引管の一部が前記ダクト構造の内部に嵌め込まれ、前記誘引管の一端は前記室内に向けて開口し、前記誘引管の他の一端は前記ダクト構造内部において前記温調空気の流れる下流側に開口していることを特徴とする輻射式空調装置。
【請求項２】
請求項１に記載の輻射式空調装置において、前記ダクト構造は、前記温調空気を作り出すエアコンの吹き出し口に連結している主ダクトを有し、前記誘引管の一部が前記主ダクトの内部に嵌め込まれ、前記誘引管の一端は前記室内に向けて開口し、前記誘引管の他の一端は前記主ダクトの内部において前記温調空気の流れる下流側に開口していることを特徴とする輻射式空調装置。
【請求項３】
請求項２に記載の輻射式空調装置において、前記主ダクトから分岐して前記室内へ向けて開口している誘引ダクトを有し、前記誘引管は前記主ダクトから前記誘引ダクトにかけてこれらの内部に嵌め込まれ、前記誘引管の一端は前記室内に向けて開口し、前記誘引管の他の一端は前記主ダクトの内部において前記温調空気の流れる下流側に開口している構成にして、前記誘引ダクトを通じて前記温調空気が前記室内へ流出しないように、前記誘引管の外周面と前記誘引ダクトの内周面との隙間には蓋体が設けられていることを特徴とする輻射式空調装置。
【請求項４】
請求項１に記載の輻射式空調装置において、前記ダクト構造は前記温調空気を前記送風路へ導入する分配ダクトを有し、前記誘引管の一部が前記分配ダクトの内部に嵌め込まれ、前記誘引管の一端は前記室内に向けて開口し、前記誘引管の他の一端は前記分配ダクトの内部において前記温調空気の流れる下流側に開口していることを特徴とする輻射式空調装置。
【請求項５】
請求項１、請求項２、請求項３又は請求項４のいずれか１項に記載の輻射式空調装置において、前記上壁面に隣接して設けられた断熱性を有する上面板若しくは断熱性を有する天井部材で構成された隣接上壁面と、金属板で形成され底面を構成する隣接輻射パネルと、前記隣接上壁面と前記隣接輻射パネルとの間を連結する隣接側壁面と、を有し、前記隣接上壁面と前記隣接側壁面と前記隣接輻射パネルとは、前記温調空気を送風するための隣接送風路を形成し、前記送風路を形成する前記側壁面と、これに隣接して対向する前記隣接側壁面にはそれぞれ開口が設けられ、該開口同士がジョイント部材で連結されることにより、前記送風路と前記隣接送風路とを接続させる接続送風路が形成されていることを特徴とする輻射式空調装置。
【請求項６】
請求項５に記載の輻射式空調装置において、前記接続送風路の送風断面積が、前記送風路及び前記隣接送風路の送風断面積よりも小さく形成されていることを特徴とする輻射式空調装置。
【請求項７】
請求項１、請求項２、請求項３、請求項４、請求項５又は請求項６のいずれか１項に記載の輻射式空調装置において、前記送風路に面した側の前記輻射パネルの表面であって、前記送風路に接続している前記ダクト構造の一端の開口に対向する位置に断熱性を有する断熱ボードが貼り付けられていることを特徴とする輻射式空調装置。
【請求項８】
請求項１、請求項２、請求項３、請求項４、請求項５、請求項６又は請求項７のいずれか１項に記載の輻射式空調装置において、前記輻射パネルの、前記送風路に面していない側の面が珪藻土部材で覆われていることを特徴とする輻射式空調装置。
【請求項９】
請求項１、請求項２、請求項３、請求項４、請求項５、請求項６、請求項７又は請求項８のいずれか１項に記載の輻射式空調装置において、前記輻射パネルの表面には２以上の凹又は凸若しくは凹凸が形成されていることを特徴とする輻射式空調装置。
【請求項１０】
請求項１、請求項２、請求項３、請求項４、請求項５、請求項６、請求項７、請求項８又は請求項９のいずれか１項に記載の輻射式空調装置において、前記輻射パネル中央部は前記送風路外側へ膨らんでいることを特徴とする輻射式空調装置。
【発明の詳細な説明】
【技術分野】
【０００１】
本発明は天井に備える輻射式空調装置に関する。
【背景技術】
【０００２】
エアコンは、その動作に伴って生じる冷風又は温風の吹き出しが体に当たって、人に不快を感じさせることがある。一方、熱媒体としての冷水や温水が輻射パネルを冷却若しくは加熱する空調装置がある。これは冷却されたパネルが遠赤外線を吸収し、又は加熱されたパネルが遠赤外線を放出することによって冷房と暖房を行うものである。しかし、これは冷水若しくは温水を循環させる設備が必要であるといった課題がある。また、人が快適さを感じるには遠赤外線による輻射熱だけでなく、人の肌に、若干の冷温空気が触れる必要があるといわれている。しかし、このような遠赤外線の吸収又は放出による空調装置では、直接肌に触れる冷温空気が発生しないという課題もある。
【０００３】
そこで、エアコンの作る冷温空気を熱媒体として、輻射パネルを冷却又は加熱しながら、その冷熱空気を室内へ放出する輻射式空調装置が提案されている。たとえば、特許文献１に記載の輻射パネルユニットと輻射式空調装置は、天井から輻射パネルを懸架し、その輻射パネルと天井の間を冷温空気の送風路として用いている。輻射パネルには多数のスリット孔が設けられている。エアコンで作られた冷温空気は輻射パネルを冷却又は加熱しながら、そこに開いたスリット孔から室内に放出される。室内に放出された空気は再びエアコンに取り込まれて、冷却又は加熱される。
【先行技術文献】
【特許文献】
【０００４】
【特許文献１】特開２０１３−１９０１８３号公報
【発明の概要】
【発明が解決しようとする課題】
【０００５】
特許文献１に記載の輻射式空調装置は、室内に面した輻射パネルに多数のスリット孔が開いている。このため、該輻射パネルの上側に形成されている送風路内で結露が生じると、このスリット孔を通って、室内に結露水が落下する虞がある。
【０００６】
そこで、本発明の目的、すなわち解決しようとする技術的課題は、冷温空気を送る送風路内に結露水が生じても、前記冷温空気を室内へ放出する放出孔から結露水が室内に落下しない輻射式空調を提供することにある。
【課題を解決するための手段】
【０００７】
そこで、請求項１に開示の構成を、断熱性を有する上面板若しくは断熱性を有する天井部材で構成された上壁面と、金属板で形成され底面を構成する輻射パネルと、前記上壁面と前記輻射パネルとの間を連結する側壁面と、前記輻射パネルを冷却若しくは加熱するための温度調整された温調空気を通すためのダクト構造と、温度調整対象たる室内の空気を前記ダクト構造内に誘引する誘引管と、を有し、前記上壁面と前記側壁面と前記輻射パネルとによって形成された、前記温調空気を送風するための送風路に前記ダクト構造の一端が接続する構成にして、前記側壁面には、前記ダクト構造を通じて前記送風路に導入された前記温調空気を前記送風路の外へ放出する放出孔が設けられ、前記誘引管の一部が前記ダクト構造の内部に嵌め込まれ、前記誘引管の一端は前記室内に向けて開口し、前記誘引管の他の一端は前記ダクト構造内部において前記温調空気の流れる下流側に開口していることを特徴とする輻射式空調装置としたことにより、上記課題を解決した。
【０００８】
そこで、請求項２に開示の構成を、請求項１に記載の輻射式空調装置において、前記ダクト構造は、前記温調空気を作り出すエアコンの吹き出し口に連結している主ダクトを有し、前記誘引管の一部が前記主ダクトの内部に嵌め込まれ、前記誘引管の一端は前記室内に向けて開口し、前記誘引管の他の一端は前記主ダクトの内部において前記温調空気の流れる下流側に開口していることを特徴とする輻射式空調装置としたことにより、上記課題を解決した。
【０００９】
請求項３に開示の構成を、請求項２に記載の輻射式空調装置において、前記主ダクトから分岐して前記室内へ向けて開口している誘引ダクトを有し、前記誘引管は前記主ダクトから前記誘引ダクトにかけてこれらの内部に嵌め込まれ、前記誘引管の一端は前記室内に向けて開口し、前記誘引管の他の一端は前記主ダクトの内部において前記温調空気の流れる下流側に開口している構成にして、前記誘引ダクトを通じて前記温調空気が前記室内へ流出しないように、前記誘引管の外周面と前記誘引ダクトの内周面との隙間には蓋体が設けられていることを特徴とする輻射式空調装置としたことにより、上記課題を解決した。
【００１０】
そこで、請求項４に開示の構成を、請求項１に記載の輻射式空調装置において、前記ダクト構造は前記温調空気を前記送風路へ導入する分配ダクトを有し、前記誘引管の一部が前記分配ダクトの内部に嵌め込まれ、前記誘引管の一端は前記室内に向けて開口し、前記誘引管の他の一端は前記分配ダクトの内部において前記温調空気の流れる下流側に開口していることを特徴とする輻射式空調装置としたことにより、上記課題を解決した。
【００１１】
また、請求項５に開示の構成を、請求項１、請求項２、請求項３又は請求項４のいずれか１項に記載の輻射式空調装置において、前記上壁面に隣接して設けられた断熱性を有する上面板若しくは断熱性を有する天井部材で構成された隣接上壁面と、金属板で形成され底面を構成する隣接輻射パネルと、前記隣接上壁面と前記隣接輻射パネルとの間を連結する隣接側壁面と、を有し、前記隣接上壁面と前記隣接側壁面と前記隣接輻射パネルとは、前記温調空気を送風するための隣接送風路を形成し、前記送風路を形成する前記側壁面と、これに隣接して対向する前記隣接側壁面にはそれぞれ開口が設けられ、該開口同士がジョイント部材で連結されることにより、前記送風路と前記隣接送風路とを接続させる接続送風路が形成されていることを特徴とする輻射式空調装置としたことにより、上記課題を解決した。
【００１２】
請求項６に開示の構成を、請求項５に記載の輻射式空調装置において、前記接続送風路の送風断面積が、前記送風路及び前記隣接送風路の送風断面積よりも小さく形成されていることを特徴とする輻射式空調装置としたことにより、上記課題を解決した。請求項７に開示の構成を、請求項１、請求項２、請求項３、請求項４、請求項５又は請求項６のいずれか１項に記載の輻射式空調装置において、前記送風路に面した側の前記輻射パネルの表面であって、前記送風路に接続している前記ダクト構造の一端の開口に対向する位置に断熱性を有する断熱ボードが貼り付けられていることを特徴とする輻射式空調装置としたことにより、上記課題を解決した。
【００１３】
請求項８に開示の構成を、請求項１、請求項２、請求項３、請求項４、請求項５、請求項６又は請求項７のいずれか１項に記載の輻射式空調装置において、前記輻射パネルの、前記送風路に面していない側の面が珪藻土部材で覆われていることを特徴とする輻射式空調装置としたことにより、上記課題を解決した。
【００１４】
請求項９に開示の構成を請求項１、請求項２、請求項３、請求項４、請求項５、請求項６、請求項７又は請求項８のいずれか１項に記載の輻射式空調装置において、前記輻射パネルの表面には２以上の凹又は凸若しくは凹凸が形成されていることを特徴とする輻射式空調装置としたことにより、上記課題を解決した。
【００１５】
請求項１０に開示の構成を、請求項１、請求項２、請求項３、請求項４、請求項５、請求項６、請求項７、請求項８又は請求項９のいずれか１項に記載の輻射式空調装置において、前記輻射パネル中央部は前記送風路外側へ膨らんでいることを特徴とする輻射式空調装置としたことにより、上記課題を解決した。
【発明の効果】
【００１６】
請求項１に開示の構成では、輻射パネルから立ち上がった側面に放出孔が設けられているために、送風路内に結露水が生じた場合でも、前記放出孔から結露水が室内へ落下しない効果がある。また、冷気がダクト構造内部に送り込まれたとしても、誘引管を介して誘引された室内空気と混合されて冷気が緩和されるので、これらの空気が輻射パネルに当たっても結露を生じ難いという効果がある。
【００１７】
請求項２及び請求項３に開示の構成は、主ダクトで温調空気と室内空気をまとめて混合することができ、空調装置全体の誘引管の数を少なく抑えることができる。請求項４に開示の構成は、必要な分配ダクトに限って、温調空気と室内空気を混合することができ、局所的に最適化された空調システムを提供できる効果がある。請求項５に開示の構成では、室内の天井の広さに応じて送風路と輻射パネルを拡張できるという効果がある。
【００１８】
請求項６に開示の構成では、送風路と隣接送風路の間で送風断面積が局所的に絞られていることで温調空気の送風速度が上がり、温調空気と輻射パネルとの間の熱交換が効率的に行われるという効果がある。請求項７に開示の構成では、ダクト構造を介して送風路内に導入された温調空気が冷たすぎる場合でも、ダクト構造の一端の開口に対向する位置に断熱性を有する断熱ボードが貼り付けられているため、冷たすぎる温調空気が直接輻射パネルに触れることがなく、結露の発生を抑制できる効果がある。
【００１９】
請求項８に開示の構成では、送風路の外側、すなわち、送風路に面していない側の輻射パネル面に結露が生じる場合でも、この輻射パネル面を覆う、珪藻土部材が水分を吸湿するので、結露水が室内に落下しないという効果がある。請求項９に開示の構成では、輻射パネル表面に凹凸を設けることで表面積が増し、輻射効率が上がるという効果がある。請求項１０に開示の構成では、輻射パネルの中央部が送風路外側へやや膨らんでいるために、遠赤外線等の輻射線が放射状に拡散し、受け側の範囲を広げる効果がある。
【図面の簡単な説明】
【００２０】
【図１】は本発明の第１実施形態に係る輻射式空調装置を示す図であって、（Ａ）は同輻射式空調装置を上方から見た斜視図、（Ｂ）は天井板とダクト構造を省略して表した同輻射式空調装置の斜視図、（Ｃ）は（Ａ）のＹ１−Ｙ１矢視断面図、（Ｄ）は（Ｅ）のα領域拡大図、（Ｅ）は（Ａ）のＸ１−Ｘ１矢視断面図である。
【図２】は天井に懸架された、本発明の第１実施形態に係る輻射式空調装置を下方から見上げた斜視図である。
【図３】（Ａ）は本発明の第１実施形態に係る輻射式空調装置を、側壁面と底面に直交する平面で切断したときの断面図、（Ｂ）は本発明の第１実施形態に係る輻射式空調装置において、他の側壁面と他の輻射パネルの例を示す断面図である。
【図４】は本発明の第２実施形態に係る輻射式空調装置の図であって、（Ａ）は凹凸加工が施されている輻射パネルを用いた場合の断面図、（Ｂ１）は中央部が膨らんでいる輻射パネルを用いた場合の断面図、（Ｂ２）は輻射パネルの中央部の膨らみを誇張して表した断面図である。
【図５】は本発明の第３実施形態に係る輻射式空調装置を示す図であって、（Ａ）は同輻射式空調装置を上方から見た斜視図、（Ｂ）は（Ａ）のＸ２−Ｘ２矢視断面図である。
【図６】は本発明の第４実施形態に係る輻射式空調装置を示す図であって、（Ａ）は同輻射式空調装置の断面略図、（Ｂ）は同輻射式空調装置の主ダクトと誘引ダクトの図である。
【発明を実施するための形態】
【００２１】
［第１実施形態］
図１に基づいて、本発明の第１実施形態に係る輻射式空調装置１の説明をする。輻射式空調装置１は温度調整の対象となる室内の天井に設置される空調装置である。輻射式空調装置１の内部には送風路Ｄが形成されている〔図１（Ｅ）参照〕。そして、同送風路Ｄには、図示しないエアコンＡＣで冷却や加熱などといった温度調整がなされた空気Ａｉｒ−Ａ若しくは後記する混合された空気Ａｉｒ−Ｃが導入される。
【００２２】
以後、この温度調整された空気を温調空気Ａｉｒ−Ａともよぶことがある。また、前記室内の空気を室内空気Ａｉｒ−Ｂとよぶこともある。前記エアコンＡＣが温調空気Ａｉｒ−Ａを冷却している場合には、室内空気Ａｉｒ−Ｂは温調空気Ａｉｒ−Ａよりも高い温度を有している。前記エアコンＡＣが温調空気Ａｉｒ−Ａを加熱している場合には、室内空気Ａｉｒ−Ｂは温調空気Ａｉｒ−Ａよりも低い温度を有している。
【００２３】
エアコンＡＣで温度調整された温調空気Ａｉｒ−Ａは、該エアコンＡＣに連結している主ダクト４０若しくは、該主ダクト４０に加えてこれから分岐する分配ダクト４１を介して、輻射式空調装置１の送風路Ｄに導入される。輻射式空調装置１は後記する誘引管４２を備えている。誘引管４２は室内空気Ａｉｒ−Ｂを主ダクト４０若しくは分配ダクト４１に誘引する機能を有している。
【００２４】
このため、主ダクト４０若しくは分配ダクト４１内で温調空気Ａｉｒ−Ａと室内空気Ａｉｒ−Ｂとが混合され、冷気若しくは熱気が緩和された空気となる。この混合された空気を混合空気Ａｉｒ−Ｃとよぶこともある。したがって、輻射式空調装置１の送風路１には、混合空気Ａｉｒ−Ｃが導入されることとなる。送風路Ｄに導入された温調空気Ａｉｒ−Ａ若しくは混合空気Ａｉｒ−Ｃは後記する輻射パネル２１との間で熱交換をする。
【００２５】
図１（Ａ）と（Ｂ）に示すように、輻射式空調装置１は断熱性を有する上面板若しくは断熱性を有する天井部材で構成された上壁面１１と、金属板で形成され底面２を構成する輻射パネル２１とを有する。側壁面１２は上壁面１１と輻射パネル２１とを連結する部材である。輻射パネル２１の両端を立ち上げて側壁面１２としてもよい。断熱性を有する部材としては、例えば、塩化ビニールやポリスチレンフォームを挙げることができる。
【００２６】
輻射式空調装置１はダクト構造４を有している。ダクト構造４には、主ダクト４０と分配ダクト４１とが含まれ〔図１（Ａ）、（Ｅ）〕、輻射パネル２１を冷却若しくは加熱するために温度調整された温調空気Ａｉｒ−Ａ若しくは混合空気Ａｉｒ−Ｃを通すための構造体である。図１（Ａ）、（Ｂ）と（Ｅ）に示されるように、上壁面１１には温調空気導入口１１１が設けられ、ここに、分配ダクト４１の一端が嵌まり込んでいる。そして他の一端は主ダクト４０と連結している。
【００２７】
図１（Ａ）に示すように、誘引管４２の一部がダクト構造４たる主ダクト４０の内部に嵌め込まれている。この内部に存する部分を内部誘引管４２２とよぶこともある。この誘引管４２２は温調空気Ａｉｒ―Ａの流れる下流側に開口している。そして、誘引管４２の他の一端は、適宜分岐した後に、若しくは直接室内に向けて開口している。誘引管４２の室内側の開口は、室内側から見ると、天井部材Ｃに設けられた誘引口４２１ａとして認めることができる〔図２も参照〕。この誘引口４２１ａは、室内から目立たないように通気性のあるカバーで覆われていてもよい。
【００２８】
上壁面１１と側壁面１２と輻射パネル２１とによって形成された、輻射式空調装置１の内部にある送風路Ｄに導入された温調空気Ａｉｒ−Ａ若しくは混合空気Ａｉｒ−Ｃは、輻射パネル２１との間で熱交換をする。その後、これらの空気は側壁面１２に設けられている放出孔１２１を通じて前記室内へ放出される。
【００２９】
図１（Ｃ）は（Ａ）のＹ１−Ｙ１矢視断面図である。これは主ダクト４０と内部誘引管４２２とを縦割りにした場合の断面図である。図示しないエアコンＡＣで温度調整された温調空気Ａｉｒ−Ａが図１（Ａ）の紙面右下方から左上方にかけて主ダクト４０内を通過する。そして、主ダクト４０内部には内部誘引管４２２が障害物として存在している。この内部誘引管４２２により、温調空気Ａｉｒ−Ａの送風路断面積は小さく絞られる。送風断面積が絞られることにより、内部誘引管４２２に平行して流れる温調空気Ａｉｒ−Ａの移動速度が速くなる。
【００３０】
内部誘引管４２２の開口４２２ａは、この温調空気Ａｉｒ−Ａの送られる下流側を向いている。そして、内部誘引管４２２の開口４２２ａの反対側の端部は誘引空気連絡管４２１を経て、前記室内へ向けて開口している。つまり、内部誘引管４２２の開口４２２ａは前記室内の空気Ａｉｒ−Ｂにつながっている開口である。ここで、開口４２２ａ付近を速い速度で温調空気Ａｉｒ−Ａが流れるために、開口４２２ａ付近の気圧が低下する。
【００３１】
そうすると、相対的に前記室内の気圧が高くなる。その結果開口４２２ａから、室内空気Ａｉｒ−Ｂが主ダクト内部に誘引される。そしてそこで、温調空気Ａｉｒ−Ａと室内空気Ａｉｒ−Ｂが混合されて、混合空気Ａｉｒ−Ｃとなる。混合空気Ａｉｒ−Ｃは、温調空気Ａｉｒ−Ａの冷気又は熱気が室内空気Ａｉｒ−Ｂで緩和されている。
【００３２】
輻射式空調装置１で冷房する場合、例えば１３℃などと低い温調空気Ａｉｒ−Ａで輻射パネル２１を冷やすと、輻射パネル２１の室内側表面に結露が生じる可能性がある。しかし、混合されたＡｉｒ−Ｃはこれよりも冷気が緩和されているため、輻射パネル２１の室内側表面に結露することを防ぐことができる。
【００３３】
図１（Ｅ）に示すように、温調空気導入口１１１において分配ダクト４１が連結している上壁面１１に隣接して、隣接上壁面１１Ａが軽鉄下地Ｃ１に懸架されている。また、上壁面１１と共に送風路Ｄを構成する輻射パネル２１に隣接して、隣接上壁面１１Ａに対向する隣接輻射パネル２１Ａが設けられる。
【００３４】
この隣接輻射パネル２１Ａは図１（Ｅ）には図示していない隣接側壁面１２Ａで隣接上壁面１１Ａと連結している。このような構成により、隣接上壁面１１Ａと、隣接側壁面１２Ａ及び隣接輻射パネル２１Ａとで隣接送風路Ｄ１が形成される。このようにすると、送風路Ｄ及び隣接送風路Ｄ１の端部である開口１２３同士が隣接することとなる。
【００３５】
そこで、この開口同士をジョイント部３で連結する。そうすると、送風路Ｄと隣接送風路Ｄ１間に接続送風路Ｄ２が形成され、これらの送風路は室内空間とは隔離されたひとつながりの空間となる。このようにすると、室内の天井の広さに応じて輻射パネルの面積を増設することができる。尚、説明の便宜上、隣接上壁面１１Ａと、隣接側壁面１２Ａと、隣接輻射パネル２１Ａ及び隣接送風路Ｄ１なる用語を用いた。しかし、これらはそれぞれ、実質的に、上壁面１１と、側壁面１２と、輻射パネル２１及び送風路Ｄと同等なものである。
【００３６】
図１（Ｄ）は（Ｅ）のα領域拡大図である。これはジョイント部３の縦断面拡大図である。開口１２３同士を連結部材３２で連結する。この連結部材３２を上壁面１１及び隣接上壁面１１Ａに保持する部材が保持部材３１である。これは輻射パネル２１側にも設けられている。これら連結部材３２と保持部材３１の厚みにより、接続送風路Ｄ２の送風断面積は送風路Ｄ及び送風路Ｄ１よりも小さく絞られている。この絞込により、ジョイント部３にて、温調空気Ａｉｒ−Ａ又は混合空気Ａｉｒ−Ｃの速度が大きくなり、これによって、輻射パネル２１との熱交換が効率的に行われる。
【００３７】
図１（Ｅ）は分配ダクト４１を通る切断面で切断した、輻射式空調装置１の従断面である。混合された空気Ａｉｒ−Ｃが輻射パネル２１に吹き付けている状態を表している。ここで、送風路Ｄに面した側の輻射パネル２１の表面であって、温調空気導入口１１１で送風路Ｄに接続している分配ダクト４１の一端の開口に対向する位置に断熱性を有する断熱ボード２３が貼り付けられている。この断熱ボード２３の作用により、輻射パネル２１が冷やされすぎることを防止している。冷やされすぎると、上述のように、輻射パネル２１の室内側に結露が生じてしまうからである。断熱ボード２３は、例えば、ポリスチレンフォームで形成されている。
【００３８】
図２は、天井に懸架された輻射式空調装置１を下から見上げた図である。施工上は、輻射式空調装置１は軽鉄下地Ｃ１に懸架され、輻射式空調装置１と軽鉄下地Ｃ１の間に天井部材Ｃが貼り付けられた構成である。輻射パネル２１の両端が上方に立ち上がって側壁面１２を構成している。側壁面１２には放出孔１２１が設けられている。このような構成にすると、両側の側壁面１２と輻射パネル２１にほぼ直交する２つの面に開口１２３が生じる。
【００３９】
これらの開口１２３をそれぞれパネル蓋体１２２で塞いで、室内とは隔離された送風路Ｄを輻射パネル２１の上面側に構成することができる。あるいは、パネル蓋体１２２で塞ぐ代わりに、上述のように、ジョイント部３を介して輻射パネル２１等を増設してもよい。図２において、軽鉄下地Ｃ１と、ダクト構造４は天井部材Ｃに隠されて見えない。しかし、誘引管４２の一方の端部開口である誘引口４２１ａは天井部材Ｃに開いた開口として認めることができる。これは室内から目立たないようにカバーが着けられていてもよい。
【００４０】
図３（Ａ）は輻射式空調装置１の軽鉄下地Ｃ１への設置例を示す。図３（Ａ）は開口１２３に平行な平面で、輻射式空調装置１を切断した図である。止めボルトＣ１２によって軽鉄下地Ｃ１に止具Ｃ１１が固定されている。この固定されている止具Ｃ１１に対して、輻射式空調装置１が止めボルトＣ１３で固定される。この図では左半分のみを示しているが、右半分も同様である。
【００４１】
また、この図に示すように、輻射パネル２１を構成する金属部分に珪藻土部材２２を塗布又は貼り付けてもよい。これは、輻射パネル２１の外側、すなわち、室内に向いている側に珪藻土部材２２を塗布したり、若しくは貼り付けたりした状態である。珪藻土部材２２は水分を吸湿する部材である。
【００４２】
この構成にすると、輻射式空調装置１の外面、すなわち、送風路に面していない輻射パネル面に結露が生じる場合でも、この輻射パネル面を覆う、珪藻土部材が水分を吸湿するので、結露水が室内に落下しないという効果がある。珪藻土部材には、例えば、珪藻土を使った壁紙である珪藻土クロスがある。また、図示されていないが、側壁面１２には適宜、放出孔１２１が設けられ、送風路Ｄで輻射パネル２１との熱交換をした温調空気Ａｉｒ−Ａ若しくは混合空気Ａｉｒ−Ｃが室内へ放出される。
【００４３】
〔第２実施形態〕
図３（Ｂ）は、本発明の第２実施形態に係る輻射式空調装置１Ｂの断面図である。天井部材Ｃ２のように、これ自体に断熱性がある場合は、上壁面１１Ｂを天井部材Ｃ２で兼用してもよい。また、輻射パネル２１からなる底面２とは別体で側壁面１２Ｂを設け、該側壁面１２Ｂで上壁面１１Ｂと輻射パネル２１を連結してもよい。また、図示されていないが、側壁面１２Ｂには適宜、放出孔１２１が設けられ、送風路Ｄで輻射パネル２１との熱交換をした温調空気Ａｉｒ−Ａ若しくは混合空気Ａｉｒ−Ｃが室内へ放出される。
【００４４】
次に図４に基づいて、輻射パネル２１の他の例を説明する。図４（Ａ）は輻射パネル２１の表面に２以上の凹又は凸若しくは凹凸が形成されているものを輻射パネル２１Ｂとして用いた輻射式空調ユニットである。輻射パネル２１Ｂのように、表面に凹凸を設ける、いわゆるエンボス加工を施すことにより、表面積を増大し、輻射パネルとしての輻射効率を向上させる効果を発揮する。
【００４５】
また、これとは別に、図４（Ｂ１）に示すように、輻射パネル２１Ｃの中央部は下方にやや膨らませて形成されることもできる。水平線Ｈと比較するとこの様子が分かる。図４（Ｂ２）には、この膨らみが誇張して表現されている。このような構成とすることで、遠赤外線等の輻射線８が放射状に拡散し、受け側の範囲を広げる効果がある。以上、表面に凹凸を有する輻射パネル１２Ｂと、中央部下方がやや膨らんだ輻射パネル２１Ｃを別個に実施してもよいし、両者を組み合わせて実施してもよい。
【００４６】
〈冷房時の動作〉
輻射式空調装置１又は１Ｂで室内を冷房する場合には、エアコンＡＣにより冷却された温調空気Ａｉｒ−Ａ又は混合空気Ａｉｒ−Ｃを送風路Ｄへ導入する。冷却された温調空気Ａｉｒ−Ａは、送風路Ｄ内を巡回する間に輻射パネル２１との間で熱交換をする。熱交換により輻射パネル２１は冷却される。これと引き換えに、温調空気Ａｉｒ−Ａ自体は若干暖められる。若干暖められた温調空気Ａｉｒ−Ａは放出孔１２１を通じて室内内へ徐々に放出される。
【００４７】
室内において、天井下面に設置されている輻射パネル２１は温度が低くなっている。このため、輻射パネル２１から室内に居る人への遠赤外線の放射は小さく抑えられており、冷房効果を発揮する。また、放出孔１２１を通じて室内内へ徐々に放出され温調空気が、空気の静かな揺らぎをもたらし、室内に居る人に快適さを感じさせる。
【００４８】
〈暖房時の動作〉
輻射式空調装置１又は１Ｂで室内を暖房する場合には、エアコンＡＣにより加熱された温調空気Ａｉｒ−Ａを送風路Ｄへ導入する。加熱された温調空気Ａｉｒ−Ａ又は混合空気Ａｉｒ−Ｃは輻射パネル２１を加熱する。加熱された温調空気Ａｉｒ−Ａまたは混合空気Ａｉｒ−Ｃが輻射パネル２１に触れると、送風路Ｄ内部に結露水が生じることがある。
【００４９】
このような場合でも、放出孔１２１は、底面２よりも高い位置にあるので、この結露水が室内内に落下することが無い。この温調空気Ａｉｒ−Ａは、送風路Ｄ内を巡回する間に輻射パネル２１との間で熱交換をする。熱交換により輻射パネル２１は加熱される。これと引き換えに、温調空気Ａｉｒ−Ａ自体は若干冷まされる。
【００５０】
若干冷された温調空気Ａｉｒ−Ａは放出孔１２１を通じて室内内へ徐々に放出される。加熱された輻射パネル２１から室内内に遠赤外線が照射される。これにより、室内にいる人物は暖かさを感じる。更に、適度に冷めた状態で放出孔１２１から放出される温調空気が静かな揺らぎを作り出し、室内内に快適な暖房を実現する。
【００５１】
〔第３実施形態〕
次に図５に基づいて、本発明の第３実施形態に係る輻射式空調装置１Ｃを説明する。輻射式空調装置１Ｃの構造は、ダクト構造４以外の部分は第１実施形態と同様である。輻射式空調装置１Ｃにおいて、ダクト構造４は、図示しないエアコンの吹出し口に連結して、温調空気Ａｉｒ−Ａが送られてくる主ダクト４０Ｃと、該主ダクト４０Ｃから分岐して輻射式空調装置１Ｃ内部の送風路Ｄに連結している分配ダクト４１Ｃとを有する。
【００５２】
そして、誘引管４２Ｃの一部が分配ダクト４１Ｃ内部に嵌め込まれている。この嵌め込まれている部分を、内部誘引管４２２Ｃともよぶ。誘引管４２Ｃの一端は誘引口４２１Ｃａとして、室内に面して開口している。誘引管４２Ｃの他の一端は、内部誘引管４２２Ｃの開口でもあるが、分配ダクト４１Ｃ内部において温調空気Ａｉｒ−Ａの流れる下流側に開口している。
【００５３】
図５（Ｂ）は（Ａ）のＸ２−Ｘ２矢視断面図である。これは輻射式空調装置１Ｃを、分配ダクト４１Ｃを縦に切断した断面図となっている。分配ダクト４１Ｃにおいて、紙面右方から温調空気Ａｉｒ−Ａが同ダクト内へ導入される。同ダクト内には、内部誘引管４２２Ｃが存在し、これが同ダクトの送風断面積を小さく絞り込ませている。そして、同ダクト内の、温調空気Ａｉｒ−Ａの下流側に、内部誘引管４２２Ｃの開口があいている。
【００５４】
同ダクト内での送風断面積の絞込により、温調空気Ａｉｒ−Ａの送られる速度は速くなる。そうすると、内部誘引管４２２Ｃの開口付近の気圧が低くなる。この作用により、室内に面した誘引口４２１Ｃａから室内空気Ａｉｒ−Ｂが誘引管４２Ｃに誘引される。誘引された室内空気Ａｉｒ−Ｂは分配ダクト４１Ｃ内で温調空気Ａｉｒ−Ａと混合され、混合空気Ａｉｒ−Ｃとなる。以上が、輻射式空調装置１Ｃの構成と動作である。
【００５５】
〔第４実施形態〕
次に図６に基づいて、本発明の第４実施形態に係る輻射式空調装置１Ｄを説明する。図６（Ａ）は輻射式空調装置１Ｄの断面略図である。輻射式空調装置１Ｄの送風路Ｄを形成する構成は輻射式空調装置１と同様である。すなわち、断熱性を有する上面板で構成された上壁面１１と、金属板で形成され底面２を構成する輻射パネル２１と、上壁面１１と輻射パネル２１との間を連結する側壁面１２と、が送風路Ｄを形成している。側壁面１２には、ダクト構造４を通じて送風路Ｄに導入された温調空気Ａｉｒ−Ａ又は混合空気Ａｉｒ−Ｃを送風路Ｄの外へ放出する放出孔１２１ａが設けられている。
【００５６】
図示しないエアコンＡＣで調整された温調空気Ａｉｒ−Ａは主ダクト４０Ｄを通じて送られる。主ダクト４０Ｄから分配ダクト４１が分岐し、分配ダクト４１の端部は上壁面１１の温調空気導入口１１１に接続している。また、主ダクト４０Ｄから誘引ダクト４０Ｄ１が分岐している。誘引ダクト４０Ｄ１の端部は天井部材Ｃを貫通している。そして、誘引ダクト４０Ｄ１内部から主ダクト４０Ｄ内部にかけて、誘引管４２Ｄが嵌め込まれている。
【００５７】
誘引管４２Ｄの一端は室内に向けて開口しており、これを誘引口４２１Ｄａと称することとする。誘引管４２Ｄの他の一端は主ダクト４０Ｄ内部において温調空気Ａｉｒ−Ａの流れる下流側に開口している。また、誘引口４２１Ｄａから、若干誘引ダクト４０Ｄ１内へ入ったところにダクト蓋体４２Ｄ１が設けられている。これは、誘引ダクト４０Ｄ１を通じて室内へ温調空気Ａｉｒ−Ａが漏れ出すのを防ぐためである。
【００５８】
図６（Ｂ）は輻射式空調装置１Ｄの主ダクト４０Ｄと誘引ダクト４０Ｄ１の斜視図である。説明の便宜上一部切欠いて表している。紙面右下から左上にかけて主ダクト４０Ｄの内部を、温調空気Ａｉｒ−Ａが移動する。そして、誘引管４２Ｄが障害物になって送風断面積が小さく絞られると温調空気Ａｉｒ−Ａの移動速度が速くなる。すると、主ダクト４０Ｄ内の誘引管４２Ｄの開口付近が負圧となって、室内空気Ａｉｒ−Ｂが誘引口４２１Ｄａから主ダクト４０Ｄへ誘引される。
【００５９】
このようにして、主ダクト４０Ｄ内で、温調空気Ａｉｒ−Ａと室内空気Ａｉｒ−Ｂとが混合されて混合空気Ａｉｒ−Ｃとなる。ここに示した構成は、Ｔ字型のダクトを利用して、主ダクト４０Ｄ内に一部が嵌まり込んでいる誘引管４２Ｄを容易に設けることができる。また、誘引口４２１Ｄａに開口面積を調整することのできる蓋体を設ければ、前記開口面積を増減する調整をすることで、温調空気Ａｉｒ−Ａに室内空気Ａｉｒ−Ｃを混合する割合を調整することができる。
【符号の説明】
【００６０】
ＡＣ…エアコン、Ａｉｒ−Ａ…温調空気、Ａｉｒ−Ｂ…室内空気、Ｃ…天井部材、
Ｃ１…軽鉄下地、Ｃ１１…止具、Ｃ１２，Ｃ１３…止めボルト、Ｃ２…断熱性天井部材、
Ｄ…送風路、Ｄ１…隣接送風路、Ｄ２…接続送風路、
１，１Ｂ，１Ｃ，１Ｄ…輻射式空調装置、１１，１１Ｂ…上壁面、
１１Ａ…隣接上壁面、１１１…温調空気導入口、１２，１２Ｂ…側壁面、
１２Ａ…隣接側壁面、１２１…放出孔、１２２…パネル蓋体、１２３…開口、
２…底面、２１，２１Ｂ，２１Ｃ，２１Ｄ…輻射パネル、２１Ａ…隣接輻射パネル、
２２…珪藻土部材、２３…断熱ボード、３…ジョイント部、３１…保持部材、
３２…連結部材、４…ダクト構造、４０，４０Ｃ，４０Ｄ…主ダクト、
４０Ｄ１…誘引ダクト、４１，４１Ｃ…分配ダクト、４２，４２Ｃ，４２Ｄ…誘引管、
４２Ｄ１…ダクト蓋体、４２１…誘引空気連絡管、
４２１ａ，４２１Ｃａ，４２１Ｄａ…誘引口、４２２，４２２Ｃ…内部誘引管、
８…輻射線。
【図１】
2018185091.tif 000003
【図２】
2018185091.tif 000004
【図３】
2018185091.tif 000005
【図４】
2018185091.tif 000006
【図５】
2018185091.tif 000007
【図６】
2018185091.tif 000008